(57)【要約】【課題】更新部分を表示させることが可能な表示制御装置、表示制御方法およびプログラムを提供する。【解決手段】  コンテンツデータを取得する取得部と、前記コンテンツデータの一部または全部のデータを登録する登録部と、前記取得部により取得したコンテンツデータと、前記登録部により登録したデータとを比較し、更新部分を検出する比較部と、前記比較部により検出された更新部分を表示画面に表示する表示部と、を備える、表示制御装置。【選択図】図７
2012134676.tif 000002
【特許請求の範囲】
【請求項１】
コンテンツデータを取得する取得部と、
前記コンテンツデータの一部または全部のデータを登録する登録部と、
前記取得部により取得したコンテンツデータと、前記登録部により登録したデータとを比較し、更新部分を検出する比較部と、
前記比較部により検出された更新部分を表示画面に表示する表示部と、
を備える、表示制御装置。
【請求項２】
前記表示部は、前記表示画面に表示した更新部分を操作者により選択された場合に、前記更新部分と関連する詳細データをさらに表示する、請求項１記載の表示制御装置。
【請求項３】
前記比較部は、前記登録部に登録したデータから前記表示部が生成した表示画面と、前記取得したコンテンツデータから前記表示部が生成した表示画面とを比較する、請求項１記載の表示制御装置。
【請求項４】
前記取得部は、受信した放送信号から番組放送信号とデータ放送信号をコンテンツデータとして取得し、
前記表示部は、前記番組放送信号から放送番組の表示画面を生成し、前記データ放送信号からデータ放送の表示画面を生成し、
前記登録部は、前記コンテンツデータの一部または全部のデータとして、前記データ放送の表示画面中から操作者により選択されたオブジェクトを登録する、請求項１記載の表示制御装置。
【請求項５】
前記比較部は、第１の放送信号から取得したデータ放送信号と、前記登録部により登録したデータとを比較し、更新部分を検出し、
前記表示部は、第２の放送信号に基づいて生成された表示画面に、前記検出された更新部分を表示する、請求項４記載の表示制御装置。
【請求項６】
コンテンツデータを取得するステップと、
前記コンテンツデータの一部または全部のデータを登録するステップと、
前記取得するステップにより取得したコンテンツデータと、前記登録するステップにより登録したデータとを比較し、更新部分を検出するステップと、
前記検出するステップにより検出された更新部分を表示画面に表示するステップと、
を含む、表示制御方法。
【請求項７】
コンピュータを、
コンテンツデータを取得する取得部と、
前記コンテンツデータの一部または全部のデータを登録する登録部と、
前記取得部により取得したコンテンツデータと、前記登録部により登録したデータとを比較し、更新部分を検出する比較部と、
前記比較部により検出された更新部分を表示画面に表示する表示部と、
として機能させるためのプログラム。
【発明の詳細な説明】
【技術分野】
【０００１】
本発明は、表示制御装置、表示制御方法およびプログラムに関する。
【背景技術】
【０００２】
デジタル放送では、通常のテレビジョン番組を放送するテレビ放送の他に、文字、画像、音声などの表現メディアを組み合わせて構成されるデータ放送が配信されている。データ放送は、ＢＭＬ（Ｂｒｏａｄｃａｓｔｉｎｇ  Ｍａｒｋｕｐ  Ｌａｎｇｕａｇｅ）形式で記述されたカルーセル方式のデータ放送信号である。現在、データ放送では、気象情報、ニュース、交通情報、株、スポーツ速報等のコンテンツが配信される。また、配信側でコンテンツを更新することで、常に最新の気象情報等を提示したり、あるいはスポーツの試合経過をリアルタイムで提示することができる。
【０００３】
このようなデータ放送で配信されるコンテンツがテレビジョン受信機の表示画面に表示される場合は、テレビジョン番組の映像が縮小、若しくは非表示にされるため、テレビジョン番組の視聴を妨げることになる。しかし、データ放送の表示画面が立ち上がっていなければ、視聴者がコンテンツの更新を確認することが出来ない。
【０００４】
このため、特許文献１では、デジタル放送記録再生装置において、記録しておいたデータ放送の更新イベントに基づいて、再生開始位置を頭出しする技術が提案されている。また、特許文献２では、監視対象として設定されたデータのＢＭＬファイルと同じファイルが送信された場合に、データ放送が更新されたことを視聴者に通知する技術が提案されている。
【先行技術文献】
【特許文献】
【０００５】
【特許文献１】ＷＯ２００６−０７７７９１号公報
【特許文献２】特開２００５−１９２００７号公報
【発明の概要】
【発明が解決しようとする課題】
【０００６】
しかし、特許文献１では、視聴者が番組視聴中にリアルタイムにデータ放送の更新を知ることは出来ない。一方、特許文献２ではリアルタイムに更新通知がなされるが、視聴者がデータ放送の更新内容を確認するためには、データ放送の表示画面を立ち上げ、更新された情報が表示されるまで操作を行う必要があった。特に更新された情報が深い階層にある場合は、更新された情報を表示させるまで多くの操作ステップを要するため、視聴者に負担がかかっていた。
【０００７】
このような従来の更新通知の処理を図１１に示す。図１１に示すように、ステップＳ５０８において更新通知が表示された後、ステップＳ５１０におけるデータ放送の起動操作や、ステップＳ５１４における更新部分表示までの操作といった手間がかかる。
【０００８】
さらに、ＢＭＬの構造解析を行う特許文献２では、文字情報の内容が更新された場合にしか更新通知がなされず、画像等の更新は通知されないという問題もあった。
【０００９】
そこで、本発明は、上記問題に鑑みてなされたものであり、本発明の目的とするところは、更新部分を表示させることが可能な、新規かつ改良された表示制御装置、表示制御方法およびプログラムを提供することにある。
【課題を解決するための手段】
【００１０】
上記課題を解決するために、本発明のある観点によれば、コンテンツデータを取得する取得部と、前記コンテンツデータの一部または全部のデータを登録する登録部と、前記取得部により取得したコンテンツデータと、前記登録部により登録したデータとを比較し、更新部分を検出する比較部と、前記比較部により検出された更新部分を表示画面に表示する表示部と、を備える、表示制御装置が提供される。これにより、登録したデータが更新された場合に、更新部分を視聴者（操作者）に視認させることができる。
【００１１】
また、前記表示部は、前記表示画面に表示した更新部分を操作者により選択された場合に、前記更新部分と関連する詳細データをさらに表示してもよい。これにより、更新部分と関連する詳細データを視聴者（操作者）に視認させることができる。
【００１２】
また、前記比較部は、前記登録部に登録したデータから前記表示部が生成した表示画面と、前記取得したコンテンツデータから前記表示部が生成した表示画面とを比較してもよい。これにより、画像が更新された場合にも更新部分を視聴者に視認させることができる。
【００１３】
また、前記取得部は、受信した放送信号から番組放送信号とデータ放送信号をコンテンツデータとして取得し、前記表示部は、前記番組放送信号から放送番組の表示画面を生成し、前記データ放送信号からデータ放送の表示画面を生成し、前記登録部は、前記コンテンツデータの一部または全部のデータとして、前記データ放送の表示画面中から操作者により選択されたオブジェクトを登録してもよい。これにより、データ放送信号からコンテンツデータを取得する表示制御装置において、データ放送の更新部分を視聴者に視認させることができる。
【００１４】
また、前記比較部は、第１の放送信号から取得したデータ放送信号と、前記登録部により登録したデータとを比較し、更新部分を検出し、前記表示部は、第２の放送信号に基づいて生成された表示画面に、前記検出された更新部分を表示してもよい。これにより、異なる放送番組が表示されていても、登録したデータ放送が更新された場合は、視聴者に更新部分を視認させることができる。
【００１５】
また、上記課題を解決するために、本発明の別の観点によれば、コンテンツデータを取得するステップと、前記コンテンツデータの一部または全部のデータを登録するステップと、前記取得するステップにより取得したコンテンツデータと、前記登録するステップにより登録したデータとを比較し、更新部分を検出するステップと、前記検出するステップにより検出された更新部分を表示画面に表示するステップと、を含む、表示制御方法が提供される。これにより、登録したデータが更新された場合に、更新部分を視聴者（操作者）に視認させることができる。
【００１６】
また、上記課題を解決するために、本発明の別の観点によれば、コンピュータを、コンテンツデータを取得する取得部と、前記コンテンツデータの一部または全部のデータを登録する登録部と、前記取得部により取得したコンテンツデータと、前記登録部により登録したデータとを比較し、更新部分を検出する比較部と、前記比較部により検出された更新部分を表示画面に表示する表示部と、として機能させるためのプログラムが提供される。登録したデータが更新された場合に、更新部分を視聴者（操作者）に視認させることができる。
【発明の効果】
【００１７】
以上説明したように本発明によれば、更新部分を表示させることが可能である。
【図面の簡単な説明】
【００１８】
【図１】本発明の実施形態による表示制御システムの概要を説明するための図である。
【図２】本発明の実施形態による放送信号受信装置のブロック図である。
【図３】本発明の実施形態によるデータ放送の表示例を示す図である。
【図４】本発明の実施形態による表示制御システムの動作処理を示すフローチャートである。
【図５】本発明の実施形態による監視対象を登録する場合の操作を説明するための図である。
【図６】本発明の実施形態による監視対象を登録する場合の操作を説明するための図である。
【図７】本発明の実施形態による更新部分の検出を説明するための図である。
【図８】本発明の実施形態による更新部分の検出を説明するための図である。
【図９】本発明の実施形態による更新部分の表示例を示す図である。
【図１０】本発明の実施形態による更新部分の表示例を示す図である。
【図１１】従来の更新表示の動作処理を示すフローチャートである。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
なお、説明は以下の順序で行うものとする。
１．表示制御システムの概要
２．放送信号受信装置の構成
３．処理の流れ
４．まとめ
【００２１】
＜１．表示制御システムの概要＞
ここで一例として説明される本発明の一実施形態に係る表示制御システムは、デジタルテレビジョン放送の放送信号を受信し、放送信号に含まれるコンテンツ等を表示するシステムである。図１は、本発明の一実施形態に係る表示制御システムの概要を説明するための図である。図１に示すように、表示制御システム１は、放送信号受信装置１００、操作入力装置９０および受信アンテナ８０を含む。
【００２２】
（受信アンテナ８０）
受信アンテナ８０は、デジタルテレビジョン放送の放送信号を受信し、当該放送信号を放送信号受信装置１００に提供する。例えば、受信アンテナ８０は、地上デジタルテレビ放送の放送信号を受信するＵＨＦアンテナ、衛星デジタル放送を受信するＢＳデジタルアンテナまたはＣＳデジタルアンテナであってもよい。また、放送信号には、通常のテレビジョン番組を放送するテレビ放送（番組放送）信号の他に、文字、画像、音声などの表現メディアを組み合わせて構成されるデータ放送信号が含まれる。
【００２３】
（操作入力装置９０）
操作入力装置９０は、ユーザによる操作に応じて操作信号を放送信号受信装置１００に送信する。ここでのユーザによる操作には、移動方向を指示する操作が含まれる。例えば、操作入力装置９０は、放送信号受信装置１００の操作のためにユーザにより押下されるボタンと、当該ボタンの押下に応じて操作信号を赤外線により送信する送信回路および発光素子とを備えるリモートコントローラであってよい。上記ボタンには、例えば、放送信号受信装置１００に表示されるオブジェクト上のフォーカス１７０（図３）の移動方向を指示する方向ボタン（上下左右のキー、又は他の種類のボタンであってよい）が含まれる。なお、操作入力装置９０の代わりに、放送信号受信装置１００が、操作入力装置９０の代替となる構成を備えてもよい。例えば、放送信号受信装置１００がボタン等の操作部を備えてもよい。また、放送信号受信装置１００が、音声を取得するマイク、画像を撮像するカメラ等のセンシング機器と、音声、画像等から所定の音声、ジェスチャ等を認識してコマンドを生成する認識部とを備えてもよい。
【００２４】
（放送信号受信装置１００）
放送信号受信装置１００は、受信アンテナ８０から提供される放送信号に含まれるコンテンツを表示部１６０上に表示する。また、放送信号受信装置１００は、操作入力装置９０からの操作信号を受信することにより、ユーザにより操作される。例えば、放送信号受信装置１００は、デジタルテレビジョン放送に対応したテレビジョン受像機である。
【００２５】
より具体的には、放送信号受信装置１００は、放送信号に含まれる番組放送信号に基づき、放映中の番組映像を表示部１６０上に表示する。また、放送信号受信装置１００は、放送信号に含まれるデータ放送信号に基づき、配信された情報を表示部１６０上に表示する。このようなデータ放送で配信された情報を表示部１６０上に表示する場合は、番組映像は縮小若しくは非表示にされる。
【００２６】
以上、表示制御システムの一実施形態としてデジタルテレビジョン放送を受信するテレビジョンシステムを説明したが、本発明の実施形態はこれに限られるものではない。例えば、コンテンツの取得元は、デジタルテレビジョン放送の放送信号に限られない。例えば、表示制御システム１は、受信アンテナ８０の代わりにルータ等のネットワーク接続機器を含み、放送信号受信装置１００は、ネットワークから当該ネットワーク接続機器を介してコンテンツを受信してもよい。また、例えば、表示制御システム１は、受信アンテナ８０の代わりにコンテンツを記憶するコンテンツ提供装置を含み、放送信号受信装置１００は、当該コンテンツ提供装置からコンテンツを提供されてもよい。
【００２７】
ここで、本実施形態では、表示制御装置の一例として、放送信号受信装置１００を用いるが、表示制御装置はこれに限られることはない。例えば、表示制御装置は、例えば携帯電話、携帯ゲーム機器、音楽プレーヤのような表示部を備えるユーザ機器や、Ｂｌｕ−ｒａｙ（登録商標）ディスク（ＢＤ）プレーヤ、ＤＶＤプレーヤのような映像再生装置等であってもよい。
【００２８】
＜２．放送信号受信装置の構成＞
次に、図２を用いて、表示制御システム１の放送信号受信装置１００の具体的な構成の一例を説明する。図２は、本発明の一実施形態に係る放送信号受信装置１００の構成の一例を示すブロック図である。図２を参照すると、放送信号受信装置１００は、コンテンツ取得部１２０、制御部１４０、表示部１６０、操作検出部１８０および記憶部２００を備える。
【００２９】
（コンテンツ取得部１２０）
コンテンツ取得部１２０は、放送信号からコンテンツデータを取得する。例えば、コンテンツ取得部１２０は、受信アンテナ８０から提供される放送信号を復調し、復調によって得られたＴＳパケットを復号することによって、映像、音声や、付加データをコンテンツデータとして取得する。そして、コンテンツ取得部１１０は、当該コンテンツデータを制御部１３０へ出力する。上記付加データは、文字、図形、静止画等のオブジェクトの構成および配置を定義するデータ、並びに各オブジェクトの操作をするためのデータを含み得る。付加データは、例えば、ＢＭＬ（Ｂｒｏａｄｃａｓｔ  Ｍａｒｋｕｐ  Ｌａｎｇｕａｇｅ／放送用マークアップ言語）フォーマットに従ったデータであってよい。
【００３０】
上述したように、デジタル放送では通常の番組放送とデータ放送が配信される。データ放送は、ＢＭＬで記述された文字、図形等のファイルと、画像ファイルや音声ファイルで構成されておち、これらファイル群がカルーセル伝送方式によって、適宜更新されつつ連続的に送信される。コンテンツ取得部１２０は、データ放送で送られる情報を上述したようにコンテンツデータとして取得する。以下、かかるコンテンツデータをＢＭＬコンテンツと称する。
【００３１】
（制御部１４０）
制御部１４０は、上記コンテンツ取得部１２０から出力されたＢＭＬコンテンツを記憶部２００に格納する他、放送信号受信装置１００全体の制御を行う。具体的な構成としては、制御部１４０は、表示制御部１４２、登録部１４４および比較部１４６を備える。
【００３２】
表示制御部１４２は、コンテンツ取得部１２０から出力されたコンテンツデータから表示画像を生成し、生成した表示画像を表示部１６０に出力する。表示部１６０に出力され、表示される表示画像は、図３に示すように、放送番組の映像１６２と、ＢＭＬコンテンツの内容を表示する複数のオブジェクト１６４、１６６、１６８から構成してもよい。より具体的には、図３では、オブジェクト１６４として試合経過、オブジェクト１６６としてチームメンバ表、オブジェクト１６８として選手データを表示する。
【００３３】
また、表示制御部１４２は、操作検出部１８０により検出されるユーザの操作に応じて、表示部１６０によるコンテンツおよびユーザインタフェースの表示を制御する。例えば、表示制御部１４２は、操作検出部１８０から、データ放送の表示画面を起動させる操作が検出された場合は、ＢＭＬコンテンツの表示画像を生成し、表示部１６０へ出力する。また、表示制御部１４２は、操作検出部１８０から、表示されたＢＭＬコンテンツのデータに関連する詳細データの呼び出しを行う操作が検出された場合は、詳細データの表示画像を生成し、表示部１６０に出力する。例えば、図３に示すオブジェクト１６６のメンバ表のうち、フォーカス１７０で選手を選択すると、選択された選手に関連する詳細データとして選手データがオブジェクト１６８に表示される。
【００３４】
登録部１４４は、ＢＭＬコンテンツのうち、全部または一部のデータを、操作検出部１８０により検出されるユーザの操作に応じて、記憶部２００に監視対象とするデータを登録する。監視対象データの登録については図４および図５を参照して後述する。
【００３５】
次に、比較部１４６は、コンテンツ取得部１２０から出力されたコンテンツデータが、データ放送の更新通知である場合は、コンテンツ取得部１２０で取得したコンテンツデータと、登録部１４４により記憶部２００に登録したデータとを比較し、更新部分を検出する。更新部分の検出については図６および図７を参照して後述する。なお、上記データ放送の更新通知は、ＤＳＭ−ＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）で伝送されるイベントメッセージでもよい。
【００３６】
（操作検出部１８０）
操作検出部１８０は、操作入力装置９０からの操作信号を受信し、ユーザによる操作を検出する。本実施形態において、ユーザによる操作は、少なくとも監視対象として登録するデータを指示する操作を含む。操作検出部１８０は、登録するデータを指示するユーザの操作を検出すると、登録するデータを示す情報を生成し、制御部１４０へ出力する。また、操作検出部１６０は、その他の操作を検出した場合にも、当該操作に対応する情報を生成し、当該情報を制御部１４０へ出力する。
【００３７】
（記憶部２００）
記憶部２００は、ＢＭＬコンテンツ、および登録部１４４により監視対象として登録されるデータを格納する。登録されるデータは、例えばＢＭＬ文書で定義されているｄｉｖ要素およびｐ要素である。実際には、ＢＭＬから参照されるバイナリデータ等に、注目すべき情報（試合経過や点数等を表す文字列等）が含まれる場合があるので、要素が参照しているデータがあれば、そのファイルを監視対象として登録してもよい。さらに、ＢＭＬコンテンツの画像や表など文字列以外のデータを登録データとして格納してもよい。
【００３８】
（表示部１６０）
表示部１６０は、表示制御部１４２が生成した表示画像を表示する。より具体的には、図示しない変換部によって、表示制御部１４２が生成した表示画像が映像信号に変換され、表示部１６０は、かかる映像信号に従って表示画像を表示する。
【００３９】
以上、放送信号受信装置１００の各構成について説明したが、放送信号受信装置１００は、典型的には、ハードウェエアおよびソフトウェアの組み合わせにより実現され得る。コンテンツ取得部１２０は、例えばチューナ、復調器およびＴＳ復号器により実現され得る。操作検出部１８０は、例えば赤外線を電気信号に変換するフォトダイオードおよびＩＣ回路により実現され得る。制御部１４０および記憶部２００は、ＣＰＵ、ＲＡＭおよびＲＯＭによって実現され得る。例えば、ＣＰＵは、放送信号受信装置１００の動作全般を制御する。また、ＲＯＭには、放送信号受信装置１００の動作を制御するためのプログラムおよびデータが格納され、ＲＡＭにはＣＰＵによる処理の実行時にプログラムおよびデータが一時的に記憶される。また、変換部は、ビデオカードにより実現され得る。また、表示部１６０は、液晶ディスプレイ、プラズマディスプレイ、有機ＥＬディスプレイ、ＦＥＤ等の任意のディスプレイにより実現され得る。
【００４０】
＜３．処理の流れ＞
次に、図４を用いて、上記の一実施形態に係る表示制御処理の流れについて説明する。図４は、本発明の一実施形態に係る放送信号受信装置１００による処理の流れの一例を示すフローチャートである。当該処理の流れの一例は、放送信号に含まれるＢＭＬコンテンツの更新部分を表示する場合の例示的な処理の流れである。
【００４１】
図４を参照すると、まずステップＳ４０２において、操作入力装置９０からユーザにより監視対象とするＢＭＬコンテンツのデータが選択され、登録を指示する操作がなされる。例えば、サッカーや野球など時間の経過とともに情報が変更されていくコンテンツを登録する。これにより、得点が入る、選手が交代する、実況メッセージが更新されるなど情報に変更があった場合に更新部分を確認することができる。また、データ放送連動番組の場合も、時間の経過とともに情報が変更されることが頻繁にある。なお、データ放送連動番組か否かはＥＰＧの「デ」を参照する。
【００４２】
ここで、登録操作について、例えば表示部１６０にＢＭＬコンテンツの表示画面が起動されている場合に操作入力装置９０から監視対象とするデータを選択する場合を例として説明する。（１）表示されているＢＭＬコンテンツ全てを登録する場合は、操作入力装置９０により全ページを選択する操作を行い、図５に示すように「このページを［気になる登録］する／はい、いいえ」とのメッセージ１７４が表示部１６０に表示されるので、操作入力装置９０により「はい」を選択し、ＢＭＬコンテンツ全てを監視対象として登録する。（２）一方、表示部１６０に表示されているＢＭＬコンテンツの一部を登録する場合は、操作入力装置９０により登録したいＢＭＬコンテンツをフォーカス１７２で選択する操作を行い、図６に示すように「このエリアを［気になる登録］する／はい、いいえ」とのメッセージ１７６が表示部１６０に表示されるので、操作入力装置９０により「はい」を選択し、ＢＭＬコンテンツの任意の一部を監視対象として登録する。
【００４３】
次いで、ステップＳ４０４において、操作入力装置９０からの操作により、ＢＭＬコンテンツが非表示にされ、表示部１６０の全画面に放送番組が表示される。
【００４４】
次いで、ステップＳ４０６において、放送信号受信装置１００は、イベントメッセージ受信をトリガとして、監視対象として登録したデータと、新たに取得したデータ放送のＢＭＬコンテンツのデータとを比較し、更新部分を検出する。
【００４５】
より具体的には、例えば図７に示すように、ＢＭＬ文書の文字列の比較により更新部分を検出する。図７では、登録したｐ要素２１０がｐ要素２１２に更新された場合に、文字列を比較することで、「９  選手名ｆ」が更新部分として検出される。なお、かかる更新部分を表示候補１として、さらに表示候補１の更新部分に関連する詳細データがある場合は、これを表示候補２としてもよい。図７では、「９  選手名ｆ」に関連する詳細データである選手情報を示すｐ要素２１４が表示候補２とされる。
【００４６】
若しくは、図８に示すように、文字列以外で、例えば画像の比較により更新部分を検出してもよい。この場合、登録した画像２２０が画像２２２に更新された場合に、登録した画像２２０と、新たに取得したＢＭＬコンテンツから表示制御部１４２により生成される画像２２２を比較することで、「９  選手名ｆ」が更新部分として検出される。このように画像の比較を可能とすることで、「９  選手名ｆ」といった文字が画像データで表現されている場合も、更新を検出することができる。なお、かかる更新部分を表示候補１として、さらに表示候補１の更新部分に関連する詳細データがある場合は、これを表示候補２としてもよい。図８では、「９  選手名ｆ」にフォーカス１７２が移動すると表示される画像１６８が表示候補２とされる。
【００４７】
次いで、ステップＳ４０８において、更新部分を表示部１６０に表示する。例えば、図９に示すように、放送番組の映像１６２が表示部１６０の全画面に表示されている場合に、更新部分２３０（表示候補１）が表示される。ここで、表示候補２である詳細データ１６８を同時に表示してもよいし、まずは表示候補１のみ表示し、フォーカス１７２で更新部分２３０が選択された場合に、関連する詳細データ１６８（表示候補２）を表示してもよい。
【００４８】
この際、登録したデータとは異なるチャンネルの放送番組を表示中であっても、更新部分を表示し得る。例えば、図１０に示すように、登録したデータとは異なるチャンネルの放送番組の映像１６２が表示部１６０の全画面に表示されている場合に、更新部分２３０（表示候補１）が表示される。ここで、上記と同様に、表示候補２である詳細データ１６８を同時に表示してもよいし、まずは表示候補１のみ表示し、フォーカス１７２で更新部分２３０が選択された場合に、関連する詳細データ１６８（表示候補２）を表示してもよい。
【００４９】
なお、表示画面に表示する更新部分の表示方法は、図９および図１０に示す例に限られず、例えば更新部分を透過させて表示させてもよい。これにより、番組視聴中のユーザにとって邪魔にならずに更新内容を提示させることができる。また、更新部分が視認し難いと判断された場合は、縁取りなどの読みやすさ効果を追加してもよい。
【００５０】
（番組終了後）
放送番組が終了した場合は、登録したデータを削除してもよいし、ＥＰＧを参照して次回放送もあることが確認できる番組（毎週放送されるドラマや、大会期間中に定期的に放送される特別番組）の場合は登録データを保存しておいてもよい。
【００５１】
＜４．まとめ＞
以上説明したように、本発明の各実施形態にかかる放送信号受信装置１００によれば、データ放送の表示画面を起動していない場合も、予め登録したＢＭＬコンテンツがデータ放送更新により変更された場合に、自動的に更新部分が表示されるため、ユーザは特に操作を行うことなく更新部分を視認することができる。
【００５２】
より具体的には、図１１に示す従来の更新通知に比べて、図１１のステップＳ５１０およびステップＳ５１４における操作の手間をかけずに更新部分を表示させることができる（図４のステップＳ４０８参照）。
【００５３】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５４】
また、放送信号受信装置１００に内蔵されるハードウェアを、上述した放送信号受信装置１００の各構成と同等の機能を発揮させるためのコンピュータプログラムも作成可能である。また、該コンピュータプログラムを記憶させた記憶媒体も提供される。
【符号の説明】
【００５５】
１        表示制御システム
８０      受信アンテナ
９０      操作入力装置
１００    放送信号受信装置
１２０    コンテンツ取得部
１４０    制御部
１４２    表示制御部
１４４    登録部
１４６    比較部
１６０    表示部
１８０    操作検出部
２００    記憶部
【図１】
2012134676.tif 000003
【図２】
2012134676.tif 000004
【図３】
2012134676.tif 000005
【図４】
2012134676.tif 000006
【図５】
2012134676.tif 000007
【図６】
2012134676.tif 000008
【図７】
2012134676.tif 000009
【図８】
2012134676.tif 000010
【図９】
2012134676.tif 000011
【図１０】
2012134676.tif 000012
【図１１】
2012134676.tif 000013